(57)【要約】  利用者がエレベーターへの乗車前に個人情報を入力して行先呼びを登録するエレベーターシステムにおいて、適切な割当かごの報知を行うことができ、且つ、行先呼びの登録後も利用者が自分の乗るべきエレベーターを容易に確認することができるようにする。このため、エレベーターホール等に、利用者が乗車前に個人情報を入力して行先呼びを登録する行先呼び登録装置と、利用者が個人情報を入力して割当かごを確認するための割当かご確認装置を設置する。また、行先呼び登録装置から登録された行先呼びに対してエレベーターの割り当てが行われると、その割り当てが行われた行先呼びについて、割当かごの情報と利用者の個人情報とを関連付けて記憶手段に記憶する。そして、上記割当かご確認装置は、利用者の個人情報が入力されると、その個人情報と記憶手段の記憶内容とに基づいて、利用者の割当かごを報知する。
2011007428.tif 000002
【特許請求の範囲】
【請求項１】
複数台のエレベーターを群管理制御するエレベーターシステムであって、
利用者がエレベーターへの乗車前に個人情報を入力して行先呼びを登録する行先呼び登録装置と、
前記行先呼び登録装置から行先呼びが登録されると、その登録された行先呼びに対して、前記複数台のエレベーターの中から最適なエレベーターを割り当てる割当手段と、
前記割当手段によって行先呼びに対するエレベーターの割り当てが行われると、その割り当てが行われた行先呼びについて、割当かごの情報と利用者の個人情報とを関連付けて記憶する記憶手段と、
利用者の個人情報が入力されると、入力された個人情報と前記記憶手段の記憶内容とに基づいて、その利用者の割当かごを報知する割当かご確認装置と、
を備えたことを特徴とするエレベーターシステム。
【請求項２】
前記行先呼び登録装置は、
行先呼びを登録する際に利用者が個人情報を入力するための第１入力手段と、
前記割当手段によって行先呼びに対するエレベーターの割り当てが行われると、その行先呼びに対する割当かごを報知する第１報知手段と、
を備え、
前記割当かご確認装置は、
利用者が個人情報を入力するための第２入力手段と、
所定の情報を報知するための第２報知手段と、
前記第２入力手段から利用者の個人情報が入力されると、その入力された個人情報に関連付けて記憶されている割当かごの情報を前記記憶手段から取得し、利用者の割当かごを前記第２報知手段から報知させる割当かご確認手段と、
を備えたことを特徴とする請求項１に記載のエレベーターシステム。
【請求項３】
複数台のエレベーターを群管理制御するエレベーターシステムであって、
利用者が個人情報を入力するための入力手段、及び、所定の情報を報知するための報知手段を有し、利用者がエレベーターへの乗車前に前記入力手段から個人情報を入力して行先呼びを登録する行先呼び登録装置と、
前記行先呼び登録装置から行先呼びが登録されると、その登録された行先呼びに対して、前記複数台のエレベーターの中から最適なエレベーターを割り当てる割当手段と、
前記割当手段によって行先呼びに対するエレベーターの割り当てが行われると、その割り当てが行われた行先呼びについて、割当かごの情報と利用者の個人情報とを関連付けて記憶する記憶手段と、
を備え、
前記行先呼び登録装置は、前記入力手段から利用者の個人情報が入力された際に、その利用者の行先呼びに対して既にエレベーターが割り当てられている場合は、新たな行先呼びの登録を行わず、前記入力手段から入力された個人情報と前記記憶手段の記憶内容とに基づいて、その利用者の割当かごを前記報知手段から報知することを特徴とするエレベーターシステム。
【請求項４】
前記行先呼び登録装置は、
前記入力手段から利用者の個人情報が入力された際に、その利用者の行先呼びに対してエレベーターが割り当てられているか否かを判定する判定手段と、
前記判定手段によって利用者の行先呼びに対する割り当てが行われていると判定された場合に、その利用者の割当かごを前記報知手段から報知させる割当かご確認手段と、
前記判定手段によって利用者の行先呼びに対する割り当てが行われていないと判定された場合に、その利用者の行先呼びを登録する行先呼び登録手段と、
を更に備えたことを特徴とする請求項３に記載のエレベーターシステム。
【請求項５】
前記報知手段は、前記割当手段によって行先呼びに対するエレベーターの割り当てが行われると、その行先呼びに対する割当かごを報知することを特徴とする請求項３又は請求項４に記載のエレベーターシステム。
【発明の詳細な説明】
【技術分野】
【０００１】
この発明は、複数台のエレベーターを群管理制御するエレベーターシステムであって、利用者がエレベーターへの乗車前に行先呼び（行先階）を登録することができるものに関する。
【背景技術】
【０００２】
エレベーターの利用者が多いビル等では、同一ビル内に複数台のエレベーターを設置し、全体としての運行効率を向上させるため、これら複数台のエレベーターに対して群管理制御を行っている。
また、このようなエレベーターシステムとして、利用者がエレベーターに乗車する前に行先呼び（行先階）を登録することができるように構成したものも提案されている（例えば、特許文献１及び２参照）。【０００３】
具体的に、特許文献１に記載のエレベーターシステムでは、エレベーターホールに、ＩＤカードを読み取るための読取装置を設置することにより、この読取装置が読み取ったカード情報に基づいて、行先呼びを自動登録している。また、このエレベーターシステムでは、ホールに表示装置を設置し、行先呼びが登録される都度、その割当号機（利用者が乗るかご）を表示装置に表示している。【０００４】
一方、特許文献２に記載のエレベーターシステムでは、セキュリティゲートを通過する際に利用者がＩＤカード等によって個人情報を入力することにより、その入力された個人情報に基づいて、行先呼びを自動登録している。また、エレベーターホールに表示装置を設置し、各エレベーターの行先階をその表示装置に表示させている。【０００５】
【特許文献１】日本特開２００６−１１７３９８号公報
【特許文献２】国際公開ＷＯ２００６／０４３３２４号公報
【発明の開示】
【発明が解決しようとする課題】
【０００６】
特許文献１及び２に記載されたエレベーターシステムでは、エレベーターホール等に設置された表示装置が十分な機能を発揮しているとは言えなかった。
即ち、特許文献１に記載のもののように、行先呼びが登録される度にその割当号機を表示装置に表示するのでは、表示装置からその表示が消えてしまうと、その後、利用者は、自分の乗るべきエレベーターを確認することができなかった。例えば、上記読取装置がホールから離れた場所に設置されているような場合には、ホールへの移動中に利用者が自分の割当号機を忘れてしまうこともあり、かかる場合は、利用者に不便を強いることとなっていた。【０００７】
一方、表示装置にエレベーター毎の行先階を表示するだけでは、利用者が、間違ったエレベーターに乗ってしまう恐れがあった。特に、特許文献２に記載されたエレベーターシステムのように、行先呼びの登録時に個人情報の入力を伴うものでは、その個人情報を利用した特殊な機能がシステムに備えられている場合がある。例えば、特許文献２には、利用者がセキュリティゲートを通過する際に読み取った個人情報を利用し、女性専用運転、身障者運転、ＶＩＰ運転等の特殊運転を行うことが開示されている。かかる場合、利用者が表示装置に表示された行先階のみを見てエレベーターに乗り込むと、同時期にセキュリティゲートを通過した同じ行先階の利用者が、間違って特殊運転が実施されるエレベーターに乗り込んでしまう恐れがあった。【０００８】
この発明は、上述のような課題を解決するためになされたもので、その目的は、利用者がエレベーターへの乗車前に個人情報を入力して行先呼びを登録するエレベーターシステムにおいて、適切な割当かごの報知を行うことができ、且つ、行先呼びの登録後も利用者が自分の乗るべきエレベーターを容易に確認することができるエレベーターシステムを提供することである。
【課題を解決するための手段】
【０００９】
この発明に係るエレベーターシステムは、複数台のエレベーターを群管理制御するエレベーターシステムであって、利用者がエレベーターへの乗車前に個人情報を入力して行先呼びを登録する行先呼び登録装置と、行先呼び登録装置から行先呼びが登録されると、その登録された行先呼びに対して、複数台のエレベーターの中から最適なエレベーターを割り当てる割当手段と、割当手段によって行先呼びに対するエレベーターの割り当てが行われると、その割り当てが行われた行先呼びについて、割当かごの情報と利用者の個人情報とを関連付けて記憶する記憶手段と、利用者の個人情報が入力されると、入力された個人情報と記憶手段の記憶内容とに基づいて、その利用者の割当かごを報知する割当かご確認装置と、を備えたものである。【００１０】
また、この発明に係るエレベーターシステムは、複数台のエレベーターを群管理制御するエレベーターシステムであって、利用者が個人情報を入力するための入力手段、及び、所定の情報を報知するための報知手段を有し、利用者がエレベーターへの乗車前に入力手段から個人情報を入力して行先呼びを登録する行先呼び登録装置と、行先呼び登録装置から行先呼びが登録されると、その登録された行先呼びに対して、複数台のエレベーターの中から最適なエレベーターを割り当てる割当手段と、割当手段によって行先呼びに対するエレベーターの割り当てが行われると、その割り当てが行われた行先呼びについて、割当かごの情報と利用者の個人情報とを関連付けて記憶する記憶手段と、を備え、行先呼び登録装置は、入力手段から利用者の個人情報が入力された際に、その利用者の行先呼びに対して既にエレベーターが割り当てられている場合は、新たな行先呼びの登録を行わず、入力手段から入力された個人情報と記憶手段の記憶内容とに基づいて、その利用者の割当かごを報知手段から報知するものである。
【発明の効果】
【００１１】
この発明によれば、利用者がエレベーターへの乗車前に個人情報を入力して行先呼びを登録するエレベーターシステムにおいて、適切な割当かごの報知を行うことができ、且つ、行先呼びの登録後も利用者が自分の乗るべきエレベーターを容易に確認することができるようになる。
【図面の簡単な説明】
【００１２】
【図１】この発明の実施の形態１におけるエレベーターシステムを示す構成図である。
【図２】行先呼び登録装置を示す正面図である。
【図３】割当データの詳細を説明するための図である。
【図４】割当かご確認装置を示す正面図である。
【図５】この発明の実施の形態１におけるエレベーターシステムの動作を示すフローチャートである。
【図６】この発明の実施の形態２におけるエレベーターシステムを示す構成図である。
【符号の説明】
【００１３】
１  行先呼び登録装置、  ２  ＩＤ認識手段、  ３  行先呼び登録手段、
４  割当かご報知手段、  ５  群管理制御装置、  ６  割当手段、  ７  記憶手段、
８  割当制御機能部、  ９  各台管理制御装置、  １０  かご制御手段、
１１  割当かご確認装置、  １２  ＩＤ認識手段、  １３  割当かご確認手段、
１４  割当かご報知手段、  １５  行先呼び登録装置、  １６  ＩＤ認識手段、
１７  割当かご報知手段、  １８  判定手段、  １９  行先呼び登録手段、
２０  割当かご確認手段
【発明を実施するための最良の形態】
【００１４】
この発明をより詳細に説明するため、添付の図面に従ってこれを説明する。なお、各図中、同一又は相当する部分には同一の符号を付しており、その重複説明は適宜に簡略化ないし省略する。【００１５】
実施の形態１．
図１はこの発明の実施の形態１におけるエレベーターシステムを示す構成図、図２は行先呼び登録装置を示す正面図、図３は割当データの詳細を説明するための図、図４は割当かご確認装置を示す正面図である。【００１６】
図１乃至図４において、１は利用者がエレベーターに乗車する前に行先呼び（行先階）を登録するための行先呼び登録装置である。この行先呼び登録装置１は、例えば、エレベーターホールや、ホールに通じる通路、ホールに移動する際に必ず通らなければならないセキュリティゲート等に設置される。【００１７】
また、この行先呼び登録装置１は、行先呼びの登録時に、利用者に対してＩＤ番号等の個人情報の入力も要求する。このような機能を実現するため、行先呼び登録装置１には、ＩＤ認識手段２、行先呼び登録手段３、割当かご報知手段４が備えられている。【００１８】
ＩＤ認識手段２は、行先呼びを登録する際に利用者が個人情報を入力するための機能と、入力された個人情報を読み取る機能とを有している。ＩＤ認識手段２は、例えば、鍵やカード、ＩＣタグ等から個人情報を読み取るリーダ（カードリーダ等）により構成される。また、このＩＤ認識手段２は、指紋や静脈、声紋、虹彩等の生体情報（個人情報）を読み取る認証装置、或いは、暗証番号を入力するためのテンキー釦等であっても良い。【００１９】
行先呼び登録手段３は、個人情報を入力した利用者の行先呼びを登録する機能を有している。行先呼び登録手段３は、例えば、ＩＤ認識手段２がＩＤ番号を認識すると行先階入力が可能となるテンキー釦により構成される。また、この行先呼び登録手段３は、利用者による個人情報の入力を介して、自動的に行先呼びを登録するような装置であっても良い。かかる場合、行先呼び登録手段３は、例えば、上記リーダや認証装置等で読み取った個人情報が既登録情報と一致すると、その既登録情報に基づいて利用者の行先階を判別し、自動的に行先呼びを登録する。更に、行先呼び登録手段３は、常時はＩＤ番号の照合等による行先呼びの自動登録を行い、ＩＤ番号の入力後にテンキー釦が操作されると、そのテンキー釦から入力された行先呼びを優先して登録するようなものであっても良い。【００２０】
割当かご報知手段４は、行先呼び登録手段３によって登録された行先呼びに対してエレベーターの割り当てが行われた場合に、その割当かごを外部に報知する機能を有している。割当かご報知手段４は、例えば、割当かごの情報を表示するためのディスプレイとその表示を制御する制御部とにより構成される。なお、割当かご報知手段４は、行先呼び登録装置１の操作者（エレベーター利用者）に対して割当かごの報知を行う機能を有していれば良く、上記ディスプレイの代わりにスピーカーやランプ等を備えていても良い。かかる場合、割当かご報知手段４は、音声案内やランプ表示によって割当かごの報知を行う。【００２１】
５は同一ビル内等に備えられた複数台のエレベーターを一群として管理する群管理制御装置である。なお、群管理制御装置５が管理する一群のエレベーターは、ビルに備えられたエレベーター全体であっても良いし、ビルに備えられたエレベーターの一部であっても良い。【００２２】
具体的に、群管理制御装置５は、割当手段６及び記憶手段７からなる割当制御機能部８を有している。
割当手段６は、行先呼び登録装置１から行先呼びが登録された場合に、その登録された行先呼びに対して、上記複数台のエレベーターの中から最適なエレベーターを割り当てる機能を有している。【００２３】
記憶手段７は、割当手段６によって行先呼びに対するエレベーターの割り当てが行われた場合に、その割り当てが行われた行先呼びについて、割当かごの情報と利用者の個人情報とを関連付けて記憶する機能を有している。具体的に、記憶手段７は、行先呼びに対する割り当てが割当手段６によって行われると、その行先呼びに対する割当かごの情報と、その行先呼びを登録する際にＩＤ認識手段２に入力された利用者のＩＤ番号（個人情報）とを関連付けて一組のデータとし、割当データとして保存する。なお、図３はこの割当データの一例を示したものである。【００２４】
９は群管理制御装置５によって群管理制御されている各エレベーターを制御するための各台管理制御装置である。各台管理制御装置９には、かごを制御するかご制御手段１０等が備えられている。そして、各台管理制御装置９は、群管理制御装置５から受信する各種動作指令に基づき、各エレベーターの運行を適切に制御する。【００２５】
割当かご確認装置１１は、行先呼びを登録したエレベーター利用者が、自分に割り当てられているエレベーター（割当かご）を乗車前に確認するためのものである。この割当かご確認装置１１は、行先呼び登録装置１とは別装置として設けられており、例えば、エレベーターホール等に設置される。なお、割当かご確認装置１１と行先呼び登録装置１とをエレベーターホールに並設しても良い。【００２６】
また、上記割当かご確認装置１１は、割当かごの報知を行う前提として、利用者に対して、行先呼びを登録した際に行先呼び登録装置１に入力した個人情報と同じ個人情報の入力を要求する。そして、割当かご確認装置１１は、利用者の個人情報が入力されると、入力された個人情報と記憶手段７の記憶内容とに基づいて、その利用者の割当かごを報知する。このような機能を実現するため、割当かご確認装置１１には、ＩＤ認識手段１２、割当かご確認手段１３、割当かご報知手段１４が備えられている。【００２７】
ＩＤ認識手段１２は、利用者が個人情報を入力するための機能と、入力された個人情報を読み取る機能とを有している。このＩＤ認識手段１２は、上記ＩＤ認識手段２が読み取る個人情報と同じものを読み取ることができるように構成されている。【００２８】
割当かご確認手段１３は、割当かご確認装置１１に対して利用者の個人情報が入力された場合に、その利用者の割当かごを特定し、外部に報知させる機能を有している。具体的に、割当かご確認手段１３は、ＩＤ認識手段１２にＩＤ番号が入力されると、その入力されたＩＤ番号に関連付けて記憶されている割当かごの情報を、記憶手段７から取得する。そして、割当かご確認手段１３は、取得した情報に基づき、ＩＤ番号を入力した利用者の割当かごを上記割当かご報知手段１４から報知させる。
なお、上記利用者の割当かごを特定するための具体的な処理は、群管理制御装置５側で行っても良い。また、上記割当かご報知手段１４は、割当かごの情報を外部に報知する機能を有していれば良く、例えば、ディスプレイやスピーカー、ランプ等の報知器とその制御機能部とにより構成される。【００２９】
なお、上記行先呼び登録装置１、群管理制御装置５、各台管理制御装置９、割当かご確認装置１１は、それぞれネットワークによって接続されており、相互に情報通信を行うことができるように構成されている。【００３０】
次に、図５も参照して、上記構成を有するエレベーターシステムの具体的な動作について説明する。図５はこの発明の実施の形態１におけるエレベーターシステムの動作を示すフローチャートである。
エレベーター利用者が、自分のＩＤ番号をＩＤ認識手段２から入力して、エレベーターへの乗車前に行先呼びを登録すると、行先呼び登録装置１から群管理制御装置５に対して、行先呼び登録要求と上記入力されたＩＤ番号とが送信される（Ｓ１０１）。【００３１】
群管理制御装置５は、行先呼び登録装置１から行先呼び登録要求と対応のＩＤ番号とを受信すると（Ｓ１０２）、先ず、割当手段６により、受信した行先呼び登録要求に対して最適な割当かごを決定する（Ｓ１０３）。また、群管理制御装置５は、行先呼びに対する割当かごの決定を行うと、その割当かごの情報とＳ１０２にて受信したＩＤ番号とを割当データとして記憶手段７に記憶する（Ｓ１０４）。即ち、このＳ１０４の処理により、１つの行先呼びに対応する割当かごの情報とＩＤ番号とが、互いに関連付けられた一組のデータとして保存される。そして、群管理制御装置５は、Ｓ１０４の処理の後（或いは、Ｓ１０４の処理と並行して）、行先呼び登録装置１に対して割当かご通知を送信する（Ｓ１０５）。また、群管理制御装置５は、同様に、行先呼びの割り当てが行われた各台管理制御装置９に対して、呼び割当指令を送信する（Ｓ１０６）。【００３２】
行先呼び登録が行われた行先呼び登録装置１では、群管理制御装置５から割当かご通知を受信すると（Ｓ１０７）、割当かご報知手段４によって画面表示等を行うことにより、行先呼びを登録した利用者に対して割当かごを通知する（Ｓ１０８）。
また、行先呼びの割り当てが行われたエレベーターの各台管理制御装置９では、群管理制御装置５から呼び割当指令を受信すると（Ｓ１０９）、その受信内容に応じた適切な呼び割当動作を実施する（Ｓ１１０）。即ち、上記各台管理制御装置９は、行先呼び登録が行われた階床のホールに停止して利用者を乗車させた後、その利用者の目的階まで走行し、そこで利用者を降車させる。【００３３】
一方、利用者が自分の乗るべきエレベーターを確認するために、ＩＤ番号をＩＤ認識手段１２から入力すると、割当かご確認装置１１から群管理制御装置５に対して、割当かご確認要求と上記入力されたＩＤ番号とが送信される（Ｓ２０１）。【００３４】
群管理制御装置５は、割当かご確認装置１１から割当かご確認要求と対応のＩＤ番号とを受信すると（Ｓ２０２）、記憶手段７に記憶されている割当データを検索し、受信したＩＤ番号に関連付けて記憶されている割当かごの情報を特定する（Ｓ２０３）。そして、群管理制御装置５は、当該ＩＤ番号に対応する割当かごを確認した後、割当かご確認装置１１に対して割当かご通知を送信する（Ｓ２０４）。【００３５】
ＩＤ番号入力が行われた割当かご確認装置１１では、群管理制御装置５から割当かご通知を受信すると（Ｓ２０５）、割当かご報知手段１４によって画面表示等を行うことにより、ＩＤ番号入力を行った利用者に対して割当かごを通知する（Ｓ２０６）。【００３６】
この発明の実施の形態１によれば、利用者がエレベーターへの乗車前に個人情報を入力して行先呼びを登録するエレベーターシステムにおいて、適切な割当かごの報知を行うことができ、且つ、行先呼びの登録後も利用者が自分の乗るべきエレベーターを容易に確認することができるようになる。例えば、行先呼び登録装置１が、エレベーターホールから離れた場所に設置されているような場合でも、利用者はホールにおいて自分の乗るべきエレベーターを容易に確認することができる。【００３７】
なお、割当かご確認装置１１による割当かごの確認は、行先呼びに対してエレベーターが割り当てられている間、即ち、割当手段６による割り当てが行われてからその行先呼びに対してエレベーターが応答するまでの間だけ行うことができれば良い。このため、エレベーターが応答した行先呼びについては、割当データを記憶手段７から削除する等しても良い。かかる場合、割当かご確認手段１３は、ＩＤ番号に対応する割当かごの情報が記憶手段７に記憶されていなければ、例えば、その旨を割当かご報知手段１４から報知させる。
なお、割当かご確認装置１１によって割当かごを確認することができる期間は、かごが利用者の乗車階に到着した時まで、或いは、利用者の乗車階においてエレベーターの戸が全閉した時まで、利用者の乗車階から目的階へ向けて走行を開始した時まで等、適宜設定することが可能である。【００３８】
実施の形態２．
図６はこの発明の実施の形態２におけるエレベーターシステムを示す構成図である。
実施の形態１では、エレベーター利用者が、行先呼びの登録と割当かごの確認とを異なる装置によって行う場合について説明した。本実施の形態では、行先呼びの登録と割当かごの確認とを、利用者が同じ（１台の）装置によって行う場合について説明する。【００３９】
図６において、行先呼び登録装置１５は、実施の形態１における行先呼び登録装置１の機能と、割当かご確認装置１１の機能とを兼ね備えている。即ち、エレベーター利用者は、行先呼び登録装置１５に自分の個人情報を入力することにより、行先呼びの登録と割当かごの確認との双方を行うことができる。具体的に、行先呼び登録装置１５は、利用者の個人情報が入力された際に、その利用者の行先呼びに対してエレベーターが割り当てられていなければ、行先呼びの登録を行う。一方、利用者の個人情報が入力された際に、その利用者の行先呼びに対して既にエレベーターが割り当てられている場合は、行先呼び登録装置１５は、新たな行先呼び登録を行わず、入力された個人情報と記憶手段７の記憶内容に基づいて、その利用者の割当かごを報知する。【００４０】
上記機能を実現するため、行先呼び登録装置１５には、ＩＤ認識手段１６、割当かご報知手段１７、判定手段１８、行先呼び登録手段１９、割当かご確認手段２０が備えられている。なお、上記ＩＤ認識手段１６、割当かご報知手段１７、行先呼び登録手段１９、割当かご確認手段２０は、それぞれ実施の形態１における同手段２、４、３、１３と実質的に同様の機能を有している。【００４１】
判定手段１８は、ＩＤ認識手段１６にＩＤ番号（個人情報）が入力された際に、その利用者の行先呼びに対してエレベーターが割り当てられているか否かを判定する機能を有している。具体的に、判定手段１８は、利用者のＩＤ番号に対応する割当かごが記憶手段７に記憶されているか否かによって上記判定を行う。【００４２】
そして、判定手段１８は、利用者のＩＤ番号に対応する割当かごが記憶手段７に既に記憶されている場合は、その利用者の行先呼びに対する割り当てが既に行われていると判断して、割当かご確認手段２０を動作させる。即ち、割当かご確認手段２０は、入力された個人情報と記憶手段７の記憶内容とに基づいて、その利用者の割当かごを割当かご報知手段１７から報知させる。【００４３】
一方、利用者のＩＤ番号に対応する割当かごが記憶手段７に記憶されていない場合は、判定手段１８は、その利用者の行先呼びに対する割り当ては未だ行われていないと判断して、行先呼び登録手段１９を動作させ、その利用者の行先呼びを登録させる。即ち、行先呼び登録装置１から群管理制御装置５に対して、行先呼び登録要求と上記入力されたＩＤ番号とが送信され、割当手段６による割り当てが行われる。また、上記行先呼びに対する割当かごが決定すると、記憶手段７に割当データが記憶されるとともに、割当かご通知が行先呼び登録装置１５に対して送信され、その割当かごが割当かご報知手段１７から報知される。【００４４】
この発明の実施の形態２によれば、行先呼び登録装置１５は、行先呼びに対してエレベーターが割り当てられている間、即ち、割当手段６による割り当てが行われてからその行先呼びに対してエレベーターが応答するまでの間は、割当かごの報知機能を有し、それ以外の間は、行先呼びの登録機能を有する。このため、エレベーターホールに、上記機能毎に異なる機器を設置する必要がなく、システムを簡素化することができる。また、エレベーターホールの意匠性も向上させることが可能である。【００４５】
なお、エレベーターホールに上記構成の行先呼び登録装置１５を設置し、エレベーターホールから離れた場所に、実施の形態１で説明した行先呼び登録装置１を設置しても良い。
その他は、実施の形態１と同様の構成及び効果を有する。
【産業上の利用可能性】
【００４６】
この発明に係るエレベーターシステムは、複数台のエレベーターを群管理制御するエレベーターシステムであって、利用者がエレベーターへの乗車前に個人情報を入力して行先呼びを登録するものに対し、適用することができる。
【図１】
2011007428.tif 000003
【図２】
2011007428.tif 000004
【図３】
2011007428.tif 000005
【図４】
2011007428.tif 000006
【図５】
2011007428.tif 000007
【図６】
2011007428.tif 000008
【国際調査報告】
2011007428.tif 000009
2011007428.tif 000010